(57)【要約】【課題】フリッカーを抑え、正極性電圧の印加時間と負極性電圧の印加時間を変更しても輝度変化が視認されないようにする。【解決手段】制御回路は、正極性フィールドと負極性フィールドとで印加される電圧の実効電圧が同じとなるように、対向電極の電圧、正極性フィールドの期間長および負極性フィールドの期間長を制御する。制御回路は、フリッカー量が閾値以上となった場合、まず、フリッカー量が閾値未満となるように対向電極の電圧を調整する。次に制御回路は、フリッカー量が次第に変化するように正極性フィールドの期間長と負極性フィールドの期間長を制御する。【選択図】図１７
2012159759.tif 000002
【特許請求の範囲】
【請求項１】
複数の走査線と複数のデータ線との交差に対応してそれぞれ設けられ、各々は、前記走査線が選択されたときに、前記データ線に供給されたデータ信号の電圧に応じた階調となる画素を有し、該画素は、前記データ信号が印加される画素電極と、前記画素電極に対向する対向電極と、前記画素電極と前記対向電極との間に電気光学材料を狭持する電気光学装置であって、
前記画素の階調に応じた電圧であって所定の電位を基準として高位である正極性の電圧を前記データ信号として当該画素に対応するデータ線に供給する正極性フィールドと、前記画素の階調に応じた電圧であって所定の電位を基準として低位である負極性の電圧を前記データ信号として当該画素に対応するデータ線に供給する負極性フィールドのそれぞれにおいて、前記複数の走査線を所定の順番で選択する走査線駆動回路と、
前記正極性フィールドで一の走査線が選択された場合に、当該一の走査線に位置する画素に対し、当該画素の階調に応じた電圧を前記データ信号として当該画素に対応するデータ線に供給し、前記負極性フィールドで前記一の走査線が選択された場合に、前記一の走査線に位置する画素に対し、当該画素の階調に応じた電圧を前記データ信号として当該画素に対応するデータ線に供給するデータ線駆動回路と、
前記画素に対して前記正極性フィールドで印加された電圧の実効電圧と、前記負極性フィールドで印加された電圧の実効電圧との差を検出する検出回路と、
前記検出回路で検出される差が所定の範囲内で変化するように、前記検出回路で検出された差が予め定められた閾値以上の場合、前記差が閾値未満となるように前記対向電極の電圧を変更し、当該変更の後、前記正極性フィールドおよび負極性フィールドの期間長を制御する制御回路と、
を具備することを特徴とする電気光学装置。
【請求項２】
前記期間長を制御した後に前記検出回路で検出された差が前記閾値以上となった場合、前記対向電極の電圧を前記対向電極の駆動開始時の電圧に変更すること
を特徴とする請求項１に記載の電気光学装置。
【請求項３】
前記対向電極の駆動開始時の電圧は、駆動開始時において、前記正極性フィールドで印加された電圧の実効電圧と、前記負極性フィールドで印加された電圧の実効電圧との差が生じない電圧であること
を特徴とする請求項２に記載の電気光学装置。
【請求項４】
前記対向電極の電圧を変更する場合、経時的に電圧を変更することを特徴とする請求項１乃至請求項３のいずれかに記載の電気光学装置。
【請求項５】
前記対向電極の電圧を変更する場合、前記電気光学材料において電荷の偏りの状態が変化するより早く電圧を変更すること
を特徴とする請求項４に記載の電気光学装置。
【請求項６】
前記検出回路は、前記一の走査線に位置する画素が前記正極性フィールドで電圧を印加されている時の該画素の明るさと、前記負極性フィールドで電圧を印加されている時の該画素の明るさを検知し、検知した明るさの差に基づいて、前記画素に対して前記正極性フィールドで印加された電圧の実効電圧と、前記負極性フィールドで印加された電圧の実効電圧との差を検出すること
を特徴とする請求項１乃至請求項５のいずれかに記載の電気光学装置。
【請求項７】
複数の走査線と複数のデータ線との交差に対応してそれぞれ設けられ、各々は、前記走査線が選択されたときに、前記データ線に供給されたデータ信号の電圧に応じた階調となる画素を有し、該画素は、前記データ信号が印加される画素電極と、前記画素電極に対向する対向電極と、前記画素電極と前記対向電極との間に電気光学材料を狭持する電気光学装置の制御方法であって、
正極性および負極性フィールドのそれぞれにおいて前記複数の走査線を所定の順番で選択し、
前記正極性フィールドで一の走査線が選択された場合に、当該一の走査線に位置する画素に対し、当該画素の階調に応じた電圧であって、所定の電位を基準として高位である正極性または低位である負極性のいずれか一方の極性の電圧を前記データ信号として当該画素に対応するデータ線に供給し、
前記負極性フィールドで前記一の走査線が選択された場合に、前記一の走査線に位置する画素に対し、当該画素の階調に応じた電圧であって、前記正極性または前記負極性のいずれか他方の極性の電圧を前記データ信号として当該画素に対応するデータ線に供給し、
前記画素に対して前記正極性フィールドで印加された電圧の実効電圧と、前記負極性フィールドで印加された電圧の実効電圧との差を検出し、
前記差が所定の範囲内で変化するように、前記差が予め定められた閾値以上の場合、前記差が閾値未満となるように前記対向電極の電圧を変更し、当該変更の後、前記正極性フィールドおよび負極性フィールドの期間長を制御すること
を特徴とする電気光学装置の制御方法。
【請求項８】
請求項１乃至請求項６のいずれかに記載の電気光学装置を有することを特徴とする電子機器。
【発明の詳細な説明】
【技術分野】
【０００１】
本発明は、電気光学装置におけるフリッカーの発生を抑える技術に関する。
【背景技術】
【０００２】
液晶表示装置に用いられる液晶素子は、２つの電極で液晶を挟持する構成となっているが、直流成分が印加されると液晶が劣化してしまう。このため、液晶表示装置では、液晶素子を交流駆動するのが一般的である。ただし、交流駆動するだけでは、液晶に直流成分が印加される場合がある。
具体的には、液晶表示装置においては、液晶層を挟む画素電極基板と、対向電極基板は物理的な構造が異なっており、対向電極から見て高位である正極性電圧が印加された場合と、対向電極から見て低位である負極性電圧が印加された場合とで、電極と配向膜との界面や配向膜と液晶層などの界面における抵抗値が異なってしまう。これにより、液晶表示装置においては、正極性電圧の印加時と負極性電圧の印加時とで液晶層への実効電圧が等しくても電流量が異なることとなり、電荷の移動量に非対象性が生じる。また、この電流量の非対称性により、液晶内部の電荷に偏りが生じ、電荷の偏りによって内部電界が発生する。この内部電界の影響により、実際に液晶層に印加される電圧は駆動電圧の極性によって非対称となり、液晶層に直流電圧成分が印加される。液晶層にこの直流成分が印加されると、フリッカーが生じることとなるので、フリッカーが最小となるように、すなわち、正極性電圧の印加による透過率（明るさ）と負極性電圧の印加による透過率との差が最小となるように、液晶素子の一方の電極に印加する電圧の印加時間を調整する技術が知られている（例えば特許文献１参照）。
【先行技術文献】
【特許文献】
【０００３】
【特許文献１】特開２０１０−７９１５１号公報
【発明の概要】
【発明が解決しようとする課題】
【０００４】
ところで、特許文献１の技術により、フリッカーが最小となるように電極への電圧の印加時間を調整しても、経年変化などによって液晶素子への直流成分が印加される場合がある。フリッカーを検出してフィードバックを行うことにより、フリッカーを制御することも可能であるが、フィードバック制御を行う際に印加時間比を大きく変更すると、それに伴って輝度変化が生じ、この輝度変化が視聴者に視認されてしまう。
本発明は、上述した事情に鑑みてなされたもので、その目的の１つは、フリッカーを抑え、正極性電圧の印加時間と負極性電圧の印加時間を変更しても輝度変化が視認されないようにすることにある。
【課題を解決するための手段】
【０００５】
上記目的を達成するために、本発明に係る電気光学装置は、複数の走査線と複数のデータ線との交差に対応してそれぞれ設けられ、各々は、前記走査線が選択されたときに、前記データ線に供給されたデータ信号の電圧に応じた階調となる画素を有し、該画素は、前記データ信号が印加される画素電極と、前記画素電極に対向する対向電極と、前記画素電極と前記対向電極との間に電気光学材料を狭持する電気光学装置であって、前記画素の階調に応じた電圧であって所定の電位を基準として高位である正極性の電圧を前記データ信号として当該画素に対応するデータ線に供給する正極性フィールドと、前記画素の階調に応じた電圧であって所定の電位を基準として低位である負極性の電圧を前記データ信号として当該画素に対応するデータ線に供給する負極性フィールドのそれぞれにおいて、前記複数の走査線を所定の順番で選択する走査線駆動回路と、前記正極性フィールドで一の走査線が選択された場合に、当該一の走査線に位置する画素に対し、当該画素の階調に応じた電圧を前記データ信号として当該画素に対応するデータ線に供給し、前記負極性フィールドで前記一の走査線が選択された場合に、前記一の走査線に位置する画素に対し、当該画素の階調に応じた電圧を前記データ信号として当該画素に対応するデータ線に供給するデータ線駆動回路と、前記画素に対して前記正極性フィールドで印加された電圧の実効電圧と、前記負極性フィールドで印加された電圧の実効電圧との差を検出する検出回路と、前記検出回路で検出される差が所定の範囲内で変化するように、前記検出回路で検出された差が予め定められた閾値以上の場合、前記差が閾値未満となるように前記対向電極の電圧を変更し、当該変更の後、前記正極性フィールドおよび負極性フィールドの期間長を制御する制御回路と、を具備することを特徴とする。
本発明によれば、正極性フィールドと負極性フィールドの時間を変更する前に対向電極の電圧が変更されるので、正極性フィールドと負極性フィールドの時間を変更しても、輝度変化が視認させないようにすることができる。
【０００６】
本発明においては、前記期間長を制御した後に前記検出回路で検出された差が前記閾値以上となった場合、前記対向電極の電圧を前記対向電極の駆動開始時の電圧に変更する構成としてもよい。
本発明によれば、対向電極の電圧が駆動開始時の電圧に変更されるので、対向電極の電圧が正極または負極側に大きく偏ることを防ぐことができる。
【０００７】
本発明においては、前記対向電極の駆動開始時の電圧は、駆動開始時において、前記正極性フィールドで印加された電圧の実効電圧と、前記負極性フィールドで印加された電圧の実効電圧との差が生じない電圧である構成としてもよい。
本発明によれば、駆動開始時において、正極性フィールドにおいて印加された電圧の実効電圧と負極性フィールドにおいて印加された電圧の実効電圧の差が生じないので、駆動開始時においてフリッカーの発生を抑えることができる。
【０００８】
本発明においては、前記対向電極の電圧を変更する場合、経時的に電圧を変更する構成としてもよい。
本発明によれば、対向電極の電圧が経時的に変更されるので、輝度変化が視認されにくくなる。
【０００９】
本発明においては、前記対向電極の電圧を変更する場合、前記電気光学材料において電荷の偏りの状態が変化するより早く電圧を変更する構成としてもよい。
本発明によれば、画素の画素電極と対向電極との間に狭持された電気光学材料において、電荷の偏りの状態が変化するより早く電圧が変更されるので、輝度変化が視認されにくくなる。
【００１０】
本発明においては、前記検出回路は、前記一の走査線に位置する画素が前記正極性フィールドで電圧を印加されている時の該画素の明るさと、前記負極性フィールドで電圧を印加されている時の該画素の明るさを検知し、検知した明るさの差に基づいて、前記画素に対して前記正極性フィールドで印加された電圧の実効電圧と、前記負極性フィールドで印加された電圧の実効電圧との差を検出する構成としてもよい。
本発明によれば、画素の明るさの差により実効電圧の差を検出するので、実効電圧の差を簡易に得ることができる。
【００１１】
なお、本発明は、電気光学装置のみならず、電気光学装置の制御方法としても、当該電気光学装置を有する電子機器としても概念することが可能である。
【図面の簡単な説明】
【００１２】
【図１】第１実施形態に係る電気光学装置の構成を示すブロック図。
【図２】同電気光学装置の表示パネルの構成を示す図。
【図３】同表示パネルにおける画素の構成を示す図。
【図４】同表示パネルにおける走査線駆動回路の動作を示す図。
【図５】同表示パネルにおけるデータ信号の電圧波形例を示す図。
【図６】同表示パネルにおけるデータ信号の電圧波形例を示す図。
【図７】同実施形態に係る光センサーの配置位置を示した図。
【図８】同電気光学装置に係るデータ解析部の構成を示すブロック図。
【図９】表示領域における画素の書き込みの推移を示す図。
【図１０】同表示パネルにおける走査線駆動回路の動作を示す図。
【図１１】表示領域における画素の書き込みの推移を示す図。
【図１２】同表示パネルにおける走査線駆動回路の動作を示す図。
【図１３】表示領域における画素の書き込みの推移を示す図。
【図１４】表示パネルの特性を示した図。
【図１５】制御回路５２の処理の流れを示すフローチャート。
【図１６】対向電極１０８の電位を調整する処理のフローチャート。
【図１７】対向電極の電圧の推移と、フリッカー量の推移を示した図。
【図１８】第２実施形態に係る制御回路５２の処理の流れを示すフローチャート。
【図１９】対向電極の電圧の推移と、フリッカー量の推移を示した図。
【図２０】第３実施形態で対向電極１０８の電位を調整する処理のフローチャート。
【図２１】第４実施形態に係る制御回路５２の処理の流れを示すフローチャート。
【図２２】対向電極の電圧の推移と、フリッカー量の推移を示した図。
【図２３】第５実施形態に係る制御回路５２の処理の流れを示すフローチャート。
【図２４】対向電極の電圧の推移と、フリッカー量の推移を示した図。
【図２５】実施形態に係る電気光学装置を用いたプロジェクターの構成を示す図。
【発明を実施するための形態】
【００１３】
［第１実施形態］
図１は、本発明の第１実施形態に係る電気光学装置１の構成を示すブロック図である。図１に示したように、電気光学装置１は、表示パネル１０と処理回路５０と検出回路７０とに大別される。このうち、表示パネル１０の動作等を制御する回路モジュールである処理回路５０は、制御回路５２、表示データ処理回路５４、および、Ｄ／Ａ変換回路５６を含み、例えばＦＰＣ（flexible printed circuit）基板によって表示パネル１０に接続される。また、検出回路７０は、光センサー７１とデータ解析部７２を含む。なお、電気光学装置１は、液晶を用いて画像の表示を行う液晶装置の一例である。
【００１４】
制御回路５２は、外部上位装置（図示省略）から供給される同期信号Vsyncに同期して表示パネル１０を制御するための各種の制御信号を生成する。なお、これらの制御信号については適宜後述するものとする。また、制御回路５２は、各種の制御信号を生成するとともに、表示データ処理回路５４を制御する。
【００１５】
表示データ処理回路５４は、外部上位装置から供給される表示データVideoを、制御回路５２による制御にしたがって、一旦内部メモリ（図示省略）に記憶した後、表示パネル１０の駆動に同期して読み出すものである。なお、表示データVideoは、表示パネル１０における画素の階調を指定するデータであり、特に波形については図示しないが、周期１６．７ミリ秒（周波数６０Ｈｚ）で１フレーム分（表示パネル１０の全画素分）を供給する。また、Ｄ／Ａ変換回路５６は、制御回路５２による制御にしたがって、読み出された表示データを、アナログのデータ信号Vidに変換するものである。
【００１６】
次に、表示パネル１０について説明する。図２は、表示パネル１０の構成を示す図である。この図に示されるように、表示パネル１０は、表示領域１００の周辺に走査線駆動回路１３０およびデータ線駆動回路１４０を内蔵した周辺回路内蔵型となっている。表示領域１００では、４８０行の走査線１１２が行（Ｘ）方向に延在するように設けられ、また、６４０列のデータ線１１４が列（Ｙ）方向に延在するように、かつ、各走査線１１２と互いに電気的に絶縁を保つように設けられ、さらに、４８０行の走査線１１２と６４０列のデータ線１１４との交差に対応して、画素１１０がそれぞれ配列している。したがって、本実施形態では、表示領域１００において画素１１０が縦４８０行×横６４０列でマトリクス状に配列することになるが、本発明をこの配列に限定する趣旨ではない。
【００１７】
画素１１０の構成について図３を参照して説明する。図３は、ｉ行及びこれと１行下で隣接する（ｉ＋１）行と、ｊ列及びこれと１列右で隣接する（ｊ＋１）列との交差に対応する２×２の計４画素分の構成を示している。なお、ｉ、（ｉ＋１）は、画素１１０が配列する行を一般的に示す場合の記号であって、この説明では、１以上４８０以下の整数である。また、ｊ、（ｊ＋１）は、画素１１０が配列する列を一般的に示す場合の記号であって、１以上６４０以下の整数である。
【００１８】
図３に示されるように、各画素１１０は、ｎチャネル型のＴＦＴ１１６と液晶容量１２０とを含む。ここで、各画素１１０については互いに同一構成なので、ｉ行ｊ列に位置する画素で代表させて説明すると、当該ｉ行ｊ列の画素１１０におけるＴＦＴ１１６のゲート電極はｉ行目の走査線１１２に接続される一方、そのソース電極はｊ列目のデータ線１１４に接続され、そのドレイン電極は液晶容量１２０の一端である画素電極１１８に接続されている。また、液晶容量１２０の他端は、対向電極１０８に接続されている。この対向電極１０８は、全ての画素１１０にわたって共通であって、時間的に一定の電圧LCcomが印加されている。
【００１９】
この表示パネル１０は、特に図示しないが、素子基板と対向基板との一対の基板が一定の間隙を保って貼り合わせられるとともに、この間隙に液晶が封止された構成となっている。このうち、素子基板には、走査線１１２や、データ線１１４、ＴＦＴ１１６および画素電極１１８が走査線駆動回路１３０やデータ線駆動回路１４０とともに形成される一方、対向基板に対向電極１０８が形成されて、これらの電極形成面が互いに対向するように一定の間隙を保って貼り合わせられている。このため、本実施形態において液晶容量１２０は、画素電極１１８と対向電極１０８とが電気光学材料の一例である液晶１０５を挟持することによって構成されることになる。
なお、本実施形態では、液晶容量１２０において保持される電圧実効値がゼロに近ければ、液晶容量を通過する光の透過率が最大となって白色表示になる一方、電圧実効値が大きくなるにつれて透過する光量が減少して、ついには透過率が最小の黒色表示になるノーマリーホワイトモードに設定されている。
【００２０】
この構成において、走査線１１２に選択電圧を印加し、ＴＦＴ１１６をオン（導通）させるとともに、画素電極１１８に、データ線１１４およびオン状態のＴＦＴ１１６を介して、階調（明るさ）に応じた電圧のデータ信号を供給すると、選択電圧を印加した走査線１１２とデータ信号を供給したデータ線１１４との交差に対応する液晶容量１２０に、階調に応じた電圧実効値を保持させることができる。
したがって、液晶容量１２０を透過する光は、画素毎に異ならせることが可能であり、これにより、表示領域１００において画像が形成される。なお、形成された画像は、使用者に直視され、または、後述するプロジェクターのように拡大投射されて視認される。いずれにしても、表示パネル１０の画素の明るさが光センサー７１によって検知されることになる。
【００２１】
なお、走査線１１２が非選択電圧になると、ＴＦＴ１１６がオフ（非導通）状態となるが、このときのオフ抵抗が理想的に無限大とはならないので、液晶容量１２０に蓄積された電荷が少なからずリークする。このオフリークの影響を少なくするために、蓄積容量１０９が画素毎に形成されている。この蓄積容量１０９の一端は、画素電極１１８（ＴＦＴ１１６のドレイン）に接続される一方、その他端は、全画素にわたって容量線１０７に共通接続されている。この容量線１０７は、時間的に一定の電位、例えば対向電極１０８と同じ電圧LCcomに保たれている。
【００２２】
走査線駆動回路１３０は、走査信号G1、G2、G3、・・・、G480を、それぞれ１、２、３、・・・、４８０行目の走査線１１２に供給するものである。ここで、走査線駆動回路１３０は、選択した走査線への走査信号を電圧Vddに相当するＨレベルとし、それ以外の走査線への走査信号を非選択電圧（接地電位Gnd）に相当するＬレベルとする。
【００２３】
図４は、走査線駆動回路１３０により出力される走査信号G1〜G480を、スタートパルスDya、Dybとクロック信号Clyとの関係において示すタイミングチャートである。
この図に示されるように、１フレームの期間において走査線１１２は、それぞれ２回選択される。ここで、フレームとは、１枚の画像を表示パネル１０に表示させるのに要する期間をいうが、表示データVideoは、上述したように周期１６．７ミリ秒で供給されるので、１フレームとは、この周期の１６．７ミリ秒と一致する。
制御回路５２は、デューティ比が５０％のクロック信号Clyを、１フレームの期間にわたって走査線数に等しい４８０周期分出力する。なお、図４においては、クロック信号Clyの１周期分の期間をＨと表記している。
また、制御回路５２は、クロック信号Clyの１周期分のパルス幅を有するスタートパルスDya、Dybを、それぞれクロック信号ClyがＨレベルの立ち上がり時において、それぞれ次のように出力する。すなわち、制御回路５２は、スタートパルスDyaを１フレームの期間の最初（すなわち第１フィールドの最初）に出力する一方、スタートパルスDybを、スタートパルスDybを出力してからクロック信号Clyの２４０周期分を出力した（すなわち、１フレームの半分期間が経過した）タイミングＴで出力する。
ただし、制御回路５２は、後述するように、スタートパルスDybをタイミングＴに対し、クロック信号Clyの周期を単位とした分だけ時間的に前方側または後方側に出力する場合がある。
【００２４】
なお、１フレームの期間のうち、スタートパルスDyaが出力されてからスタートパルスDybが出力されるまでの期間を第１フィールドとし、スタートパルスDybが出力されてから次のスタートパルスDyaが出力されるまでの期間を第２フィールドとしている。
ここで、スタートパルスDya、Dybは交互に出力され、このうち、スタートパルスDyaは、１フレームの開始タイミング、すなわち１６．７ミリ秒毎に出力される。このため、スタートパルスDyaを特定すると、必然的にスタートパルスDybも特定できるので、図１、図２等においては、特に両者を区別することなく、スタートパルスDyとして表記している場合がある。
【００２５】
走査線駆動回路１３０は、このようなスタートパルスDya、Dybおよびクロック信号C lyから、図４に示される走査信号G1〜G480を出力する。すなわち、走査線駆動回路１３０は、走査信号G1〜G480について、スタートパルスDyaが供給されると、クロック信号ClyがＬレベルの期間において順次Ｈレベルとさせる一方、スタートパルスDybが供給されると、クロック信号ClyがＨレベルの期間において順次Ｈレベルとさせる。
このため、スタートパルスDyaの供給によって走査線は、あるフレームの第１フィールドから第２フィールドまでにわたって画面下方向にむかって１、２、３、４、・・・、４８０行目の順番で、クロック信号Clyの半周期の期間をおいて選択される。一方、スタートパルスDybの供給によって走査線は、あるフレームの第２フィールドから次フレームの第１フィールドまでにわたって画面下方向にむかって１、２、３、４、・・・、４８０行目の順番で、スタートパルスDyaの供給を契機とする選択の合間にて選択されることになる。
【００２６】
データ線駆動回路１４０は、サンプリング信号出力回路１４２と、各データ線１１４にそれぞれ対応して設けられたｎチャネル型のＴＦＴ１４６とによって構成される。サンプリング信号出力回路１４２は、制御回路５２による制御信号Ctrl-xにしたがって図５や図６に示されるように、いずれかの走査線１１２が選択され当該走査線に供給される走査信号がＨレベルとなる期間に、順次排他的にＨレベルとなるサンプリング信号S1、S2、S3、・・・、S640を、データ線１１４の各々に対応するように出力するものである。なお、制御信号Ctrl-xとは、実際にはスタートパルスやクロック信号であるが、本発明では直接関係しないので、説明を省略している。また、走査信号がＨレベルとなる期間は、実際には図５や図６に示されるように、クロック信号Clyの半分周期の期間よりも若干狭められている。
【００２７】
ところで、図１におけるＤ／Ａ変換回路５６は、走査線駆動回路１３０により選択された走査線１１２に位置する画素１行分の表示データVideoを、サンプリング信号出力回路１４２によるサンプリング信号S1〜S640の出力に合わせて次のような極性のデータ信号Vidに変換する。
すなわち、Ｄ／Ａ変換回路５６は、クロック信号ClyがＬレベルのときに選択された行に位置する画素のデータ信号Vidについては正極性に、クロック信号ClyがＨレベルのときに選択された行に位置する画素のデータ信号Vidについては負極性に、それぞれ変換する。
なお、正極性とは、画素電極１１８への印加電圧を対向電極１０８への印加電圧よりも高位側とする場合をいい、負極性とは、画素電極１１８への印加電圧を対向電極１０８への印加電圧よりも低位側とする場合をいう。
【００２８】
次に、光センサー７１とデータ解析部７２について説明する。光センサー７１は、表示パネル１０の画素の明るさを検知するセンサーである。光センサー７１は、フォトダイオードを有しており、フォトダイオードに光が入射すると、フォトダイオードに流れる電流の変化を電流−電圧変換回路により電圧の変化に変換し、画素の明るさを示すアナログの信号Sbを制御回路５２に供給する。本実施形態においては、光センサー７１から出力される信号Sbは、電圧値によって画素の明るさを表しており、検知した明るさに応じて電圧が変化する。
光センサー７１は、図７に示したように表示パネル１０の近傍に配置される。表示パネル１０を透過した光は、図７において矢印で示したようにミラー７３によって光センサー７１に導かれる。なお、本実施形態においては、４８０行目の画素の光がミラー７３によって光センサー７１に導かれ、この画素（検出用画素）の明るさが検知される。
【００２９】
図８は、データ解析部７２の構成を示したブロック図である。データ解析部７２は、光センサー７１から供給される信号Sbを取得し、取得した信号Sbから画素の明るさに関する情報を出力するものである。データ解析部７２は、ＡＤ変換部５８１と演算部５８２を有している。
ＡＤ変換部５８１は、信号Sbを光センサー７１から取得する。また、ＡＤ変換部５８１は、スタートパルスDyとクロック信号Clyを制御回路５２から取得する。ＡＤ変換部５８１は、スタートパルスDyの立ち上がりからクロック信号Clyの数をカウントし、走査信号G480が立ち上がる前のタイミングで信号Sbをデジタル信号Sdbに変換する。ＡＤ変換部５８１は、変換により得られたデジタル信号Sdbを演算部５８２へ出力する。
なお、スタートパルスDyaが出力されてから走査信号G480が出力されるまでの間においては、４８０行目に位置する画素は、正極性電圧を保持しているため、スタートパルスDyaを契機にして得られたデジタル信号Sdbは、４８０行目における画素が正極性電圧を保持している時の明るさを表すこととなる。
また、スタートパルスDybが出力されてから走査信号G480が出力されるまでの間においては、４８０行目に位置する画素は、負極性電圧を保持しているため、スタートパルスDybを契機にして得られたデジタル信号Sdbは、４８０行目における画素が負極性電圧を保持している時の明るさを表すこととなる。
【００３０】
演算部５８２は、ＡＤ変換部５８１から供給されるデジタル信号Sdbに対して高速フーリエ変換処理を施すものである。正極性電圧保持時の実効電圧と負極性電圧保持時の実効電圧に差が生じると、画素においては、正極性電圧保持時と負極性電圧保持時とで明るさに差が生じる。正極性電圧を保持している時と負極性電圧を保持している時とで画素の明るさに差が生じるようになると、デジタル信号Sdbの値も、この差に応じて変化する。このため、デジタル信号Sdbの変化を示す波形に対して高速フーリエ変換処理を施すと、信号Sbの振幅を得ることができ、この振幅から４８０行目の画素が正極性電圧を保持している時の明るさと、負極性電圧を保持している時の明るさの差（以下、フリッカー量と称する）を得ることができる。演算部５８２は、この高速フーリエ変換処理により得た明るさの差を示す信号Sa1を制御回路５２へ出力する。なお、フリッカー量は、正極性電圧保持時の実効電圧と負極性電圧保持時の実効電圧の差に対応するため、フリッカー量を得るということは、正極性電圧保持時の実効電圧と負極性電圧保持時の実効電圧の差を得ていることと等しく、検出回路７０は、正極性電圧保持時の実効電圧と負極性電圧保持時の実効電圧の差を検出する回路ということができる。
【００３１】
なお、画素が正極性電圧を保持している時の明るさが負極性電圧を保持している時の明るさより明るい場合、スタートパルスDybを契機にして得られたデジタル信号Sdbの値がスタートパルスDyaを契機にして得られたデジタル信号Sdbの値より大きくなる。また、画素が負極性電圧を保持している時の明るさが正極性電圧を保持している時の明るさより明るい場合、スタートパルスDyaを契機にして得られたデジタル信号Sdbの値がスタートパルスDybを契機にして得られたデジタル信号Sdbの値より大きくなる。
換言すると、デジタル信号の値の変化を波形で表すと、画素が正極性電圧を保持している時に明るさが明るくなる場合と負極性電圧を保持している時に明るさが明るくなる場合とで波形の位相が異なることとなる。このため、高速フーリエ変換処理によってデジタル信号の波形の位相を得ることにより、画素が正極性電圧を保持している時と負極性電圧を保持している時とで、どちらの方が明るさが明るい状態か知ることができる。
【００３２】
なお、演算部５８２は、高速フーリエ変換処理によりデジタル信号の波形の位相を得るのではなく、スタートパルスDybを契機にして得られたデジタル信号Sdbの値がスタートパルスDyaを契機にして得られたデジタル信号Sdbの値より大きい場合には、正極性電圧を保持している時の方が画素が明るいと判断し、スタートパルスDyaを契機にして得られたデジタル信号Sdbの値がスタートパルスDybを契機にして得られたデジタル信号Sdbの値より大きい場合には、負極性電圧を保持している時の方が画素が明るいと判断してもよい。
演算部５８２は、上述したいずれかの方法で画素が正極性電圧を保持している時と負極性電圧を保持している時とでどちらの方が明るい状態か検知し、画素が正極性電圧を保持している時に明るい場合には正極性を表し、画素が負極性電圧を保持している時に明るい場合には負極性を表す信号Sa2を制御回路５２へ出力する。
【００３３】
制御回路５２は、スタートパルスDybの出力タイミングを制御する。具体的には、制御回路５２は、スタートパルスDybの出力タイミングを指定するための設定値として、予め定められた第１設定値と第２設定値を記憶している。なお、本実施形態においては、第１設定値は、マイナスの整数の値であり、第２設定値は、プラスの整数の値である。
また、制御回路５２は、スタートパルスDybの出力タイミングを指定するための値を格納するレジスターを有している。制御回路５２は、レジスターに格納された値に応じてスタートパルスDybの出力タイミングを変更する。
以下、スタートパルスDybの出力タイミングについて説明する。
【００３４】
まず、制御回路５２は、外部上位装置から供給される表示データVideoを、表示データ処理回路５４の内部メモリに記憶させた後、表示パネル１０においてある行の走査線を選択するとき、当該行の表示データを記憶速度の倍の速度で読み出すとともに、表示データの読み出しに合わせて、サンプリング信号S1〜S640が順番にＨレベルとなるように、制御信号Ctrl-xを介してサンプリング信号出力回路１４２を制御する。なお、読み出された表示データは、Ｄ／Ａ変換回路５６によって、アナログのデータ信号Vidに変換される。
【００３５】
ここで、制御回路５２は、レジスターに格納されている値が「０」であると、タイミングＴにおいてスタートパルスDybを供給する。制御回路５２は、タイミングＴにおいてスタートパルスDybを供給する場合、第１フィールドにおいて、走査線１１２が２４１、１、２４２、２、２４３、３、・・・、４８０、２４０行目という順番で選択される。このため、制御回路５２は、はじめに２４１行目の走査線１１２が選択されるように、走査線駆動回路１３０を制御する。また、制御回路５２は、表示データ処理回路５４に対し、メモリに記憶された２４１行目に相当する表示データVideoを倍速で読み出させ、Ｄ／Ａ変換回路５６に対し、負極性のデータ信号Vidに変換するように制御するとともに、この読み出しに合わせて、サンプリング信号S1〜S640がこの順番で排他的にＨレベルとなるようにサンプリング信号出力回路１４２を制御する。サンプリング信号S1〜S640が順番にＨレベルになると、ＴＦＴ１４６が順番にオンして画像信号線１７１に供給されたデータ信号Vidが１〜６４０列目のデータ線１１４に順番にサンプリングされる。
一方、２４１行目の走査線１１２が選択されて走査信号G241がＨレベルになると、２４１行目に位置する画素１１０におけるＴＦＴ１１６がすべてオンする。このため、データ線１１４にサンプリングされたデータ信号Vidの負極性電圧がそのまま画素電極１１８に印加される。このため、２４１行目であって１、２、３、４、・・・、６３９、６４０列の画素における液晶容量１２０には、表示データVideoで指定された階調に応じた負極性電圧が書き込まれて、保持されることになる。
【００３６】
次に、制御回路５２は、１行目の走査線１１２が選択されるように、走査線駆動回路１３０を制御する。また、制御回路５２は、表示データ処理回路５４に対し、メモリに記憶された１行目に相当する表示データVideoを倍速で読み出させ、Ｄ／Ａ変換回路５６に対し、正極性のデータ信号Vidに変換するように制御するとともに、この読み出しに合わせて、サンプリング信号S1〜S640がこの順番で排他的にＨレベルとなるようにサンプリング信号出力回路１４２を制御する。
１行目の走査線１１２が選択されて走査信号G1がＨレベルになると、１行目に位置する画素１１０におけるＴＦＴ１１６がすべてオンし、これにより、データ線１１４にサンプリングされたデータ信号Vidの電圧が画素電極１１８に印加される。このため、１行目であって１〜６４０列の画素における液晶容量１２０には、表示データVideoで指定された階調に応じた正極性の電圧が書き込まれて、保持されることになる。
【００３７】
以下、第１フィールドにおいては、同様な電圧書込の動作が、２４２、２、２４３、３、・・・、４８０、２４０行目という順番で実行される。これにより、１〜２４０行目の画素に対しては階調に応じた正極性電圧が書き込まれ、２４１〜４８０行目の画素に対しては階調に応じた負極性電圧が書き込まれて、それぞれ保持されることになる。
なお、タイミングＴにおいてスタートパルスDybが供給される場合であれば、第２フィールドにおいて、走査線１１２が１、２４１、２、２４２、３、２４３、４、２４４、・・・、２４０、４８０行目という順番で選択されるともに、同一行における書込極性が反転される。このため、１〜２４０行目の画素に対しては階調に応じた負極性電圧が書き込まれ、２４１〜４８０行目の画素に対しては階調に応じた正極性電圧が書き込まれて、それぞれ保持されることになる。
【００３８】
図５には、第１フィールドにおける（ｉ＋２４０）行目の走査線とｉ行目の走査線とが選択される期間におけるデータ信号Vidの電圧波形の一例が示されている。
この図において、電圧Vb(+)、Vb(-)は、それぞれ最低階調の黒色に相当する正極性、負極性電圧であり、基準電圧Vcを中心に対称の関係にある。基準電圧Vcは、データ信号Vidの振幅中心であり、電圧Vb(+)、Vb(-)の中間の電圧である。なお、本実施形態においては、特に説明のない限り、接地電位Gndを電圧の基準としている。表示データVideoで指定される階調値の十進値が「０」のときに最低階調の黒色を指定し、以後当該十進値が大きくなるにつれて明るい階調を指定する場合、本実施形態はノーマリーホワイトモードであるから、データ信号Vidの電圧は、正極性に変換する場合であれば、階調値が大きくなるにつれて電圧Vb(+)から低位側に振られた電圧となり、負極性に変換する場合であれば、電圧Vb(-)から高位側に振られた電圧となる。
【００３９】
第１フィールドでは、ｉ行目よりも先に（ｉ＋２４０）行目の走査線が選択されるので、走査信号G(i+240)がＨレベルになる期間のうち、例えばサンプリング信号S1がＨレベルになる期間に、データ信号Vidは、ｉ行１列の画素の階調に応じた負極性電圧となり、以降、サンプリング信号の変化に合わせて、２、３、４、・・・、６４０列目の画素の階調に応じた負極性電圧に変化する。
続いて選択されるｉ行目では、正極性書込が指定されるので、走査信号GiがＨレベルになる期間のうち、例えばサンプリング信号S1がＨレベルになる期間に、データ信号Vidは、ｉ行１列の画素の階調に応じた正極性電圧となり、以降、サンプリング信号の変化に合わせて、２、３、４、・・・、６４０列の画素の階調に応じた正極性電圧に変化する。
なお、第２フィールドでは、ｉ行目よりも後に（ｉ＋２４０）行目の走査線が選択されるので、走査信号Giが先にＨレベルになるとともに、書込極性が反転するので、データ信号Vidの電圧波形は図６に示される通りとなる。
図５および図６においてデータ信号Vidの電圧を示す縦スケールは、便宜的に他の信号における縦スケールよりも拡大してある。また、サンプリング信号S640がＬレベルに変化してからサンプリング信号S1がＨレベルに変化するまでの期間にわたって黒色に相当する電圧となっているが、その理由は、タイミングずれなどの理由により誤って画素に書き込まれても、表示に寄与させないためである。
【００４０】
次に図９は、スタートパルスDybがタイミングＴで供給される場合において、各行の書込状態を連続するフレームにわたった時間経過とともに示す図である。この図に示されるように、本実施形態では、第１フィールドにおいて２４１、２４２、２４３、・・・、４８０行目の画素では負極性の書き込みがなされ、１、２、３、・・・、２４０行目の画素では正極性の書き込みがなされて、次の書き込みまで保持される。一方、第２フィールドにおいて１、２、３、・・・、２４０行目の画素では負極性の書き込みがなされ、２４１、２４２、２４３、・・・、４８０行目の画素では正極性の書き込みがなされて、同様に次の書き込みまで保持される。
レジスターの値が「０」であり、スタートパルスDybがタイミングＴで供給される場合、第１および第２フィールドの期間は、クロック信号Clyの２４０周期分であるから、各画素において液晶容量１２０に正極性電圧が保持される期間と負極性電圧が保持される期間とは半分ずつとなる。
【００４１】
ところで、対向電極１０８に印加される電圧LCcomは、図５に示されるように、工場出荷時において、基準電圧Vcよりも低位側に設定される。これは、画素電極をＴＦＴで駆動するアクティブマトリクス型の電気光学装置では、いわゆるブッシュダウンが発生することや、液晶容量のリークが正極性の電圧を保持する場合と負極性の電圧を保持する場合とで異なることなどによる。
仮に電圧LCcomを基準電圧Vcと一致させた場合、負極性書込による液晶容量１２０の電圧実効値が、正極性書込による実効値よりも若干大きくなってしまう（ＴＦＴ１１６がｎチャネルの場合）ので、この差が相殺されるような最適値に、電圧LCcomを基準電圧Vcよりも低位側にオフセットして設定しているのである。
【００４２】
本実施形態において、スタートパルスDybがタイミングＴで供給される場合、第１および第２フィールドの期間は互いに等しく、各画素において液晶容量１２０に正極性電圧が保持される期間と負極性電圧が保持される期間とはフレームの期間の半分ずつとなるので、液晶容量１２０には直流成分が印加されないはずである。しかしながら、経年変化などによりＴＦＴのプッシュダウン量や、液晶容量におけるリーク量が工場出荷時から変化したとき、電圧LCcomは、もはや最適値ではなくなり、液晶容量１２０に直流成分が印加され、フリッカーが発生することになる。
また、表示パネル１０は、個々に特性が異なり、レジスターの値を０にしても、一定時間が経過するとフリッカーを最小にする電圧LCcomを増やす必要があるパネルと、フリッカーを最小にする電圧LCcomを減らす必要があるパネルとがある。この場合、レジスターの値を０にしても、フリッカーが発生することになる。
【００４３】
ここで図１４は、レジスターの値と、レジスターの値に基づいて電圧を印加して一定時間経過した後に生じるフリッカーについて、フリッカー量を最小にする電圧LCcomの変化量を表した図である。この図において横軸はレジスターの値を表し、レジスターの値が正の場合には正極性電圧の保持期間が長く、レジスターの値が負の場合には負極性電圧の保持期間が長いことを示している。また、縦軸は、一定時間経過した後に、どれだけ電圧LCcomを変更するとフリッカーを最小にするかを表している。図１４の（１）のパネルは、レジスターの値が０の時において一定時間が経過した後にフリッカーを最小にするには、電圧LCcomに印加する電圧を増やす必要のあるパネルである。図１４の（２）のパネルは、レジスターの値が０の時において一定時間が経過した後にフリッカーを最小にするには、電圧LCcomに印加する電圧を減らす必要のあるパネルである。なお、スタートパルスDybの出力タイミングを指定するための設定値である上述した第２設定値は、図１４に示した第２設定値であり、（１）と（２）のパネルの両方について、一定時間経過後にフリッカーを最小にするには、電圧LCcomを減らす必要が生じる値である。また、スタートパルスDybの出力タイミングを指定するための設定値である上述した第１設定値は、図１４に示した第１設定値であり、（１）と（２）のパネルの両方について、一定時間経過後にフリッカーを最小にするには、電圧LCcomを増やす必要が生じる値である。
【００４４】
本実施形態では、フリッカーの発生を抑えるために、レジスターに格納された設定値の値に応じてスタートパルスDybのタイミングを変更し、液晶容量１２０への直流成分の印加を制御する。例えば、レジスターに格納された値が「−１」である場合、制御回路５２は、図１０に示されるように、スタートパルスDybを、タイミングＴよりもクロック信号Clyの１周期分だけ早いタイミングＴ(-1)に変更して出力する。すると、第１フィールドの期間はクロック信号Clyの２３９周期分となるのに対し、第２フィールドの期間はクロック信号Clyの２４１周期分となる。これにより、図１１に示されるように、スタートパルスDybの供給を契機とする選択により書き込まれる負極性電圧の保持期間は、スタートパルスDyaの供給を契機とする選択により書き込まれる正極性電圧の保持期間よりも長くなる。したがって、画素においては、負極性電圧で保持された電圧実効値が高められ、正極性電圧で保持された電圧実効値が低められる。
【００４５】
負極性電圧で保持された電圧実効値が正極性電圧で保持された電圧実効値より高くなると、画素は、負極性電圧を保持した時に明るくなり、正極性電圧を保持した時の暗くなる方向に変化する。なお、レジスターに格納した値が「−２」であれば、制御回路５２は、スタートパルスDybを、タイミングＴよりもクロック信号Clyの２周期分だけ早いタイミングに変更して出力する。すると、画素は、レジスターに格納した値が「−１」の場合より、負極性電圧で保持された電圧実効値がさらに高められ、正極性電圧で保持された電圧実効値がさらに低められる。
【００４６】
一方、レジスターに格納した値が「＋１」である場合、制御回路５２は、図１２に示されるように、スタートパルスDybを、タイミングＴよりもクロック信号Clyの１周期分だけ遅いタイミングＴ(+1)に変更して出力する。すると、第１フィールドの期間はクロック信号Clyの２４１周期分となるのに対し、第２フィールドの期間はクロック信号Clyの２３９周期分となる。これにより、図１３に示されるように、スタートパルスDybの供給を契機とする選択により書き込まれる負極性電圧の保持期間は、スタートパルスDyaの供給を契機とする選択により書き込まれる正極性電圧の保持期間よりも短くなる。したがって、画素においては、正極性電圧で保持された電圧実効値が高められ、負極性電圧で保持された電圧実効値が低められる。
【００４７】
正極性電圧で保持された電圧実効値が負極性電圧で保持された電圧実効値より高くなると、画素は、正極性電圧を保持した時に明るくなり、負極性電圧を保持した時に暗くなる方向に変化する。なお、レジスターに格納した値が「＋２」であれば、制御回路５２は、スタートパルスDybを、タイミングＴよりもクロック信号Clyの２周期分だけ遅いタイミングに変更して出力する。すると、画素は、レジスターに格納した値が「＋１」の場合より、正極性で保持された電圧実効値がさらに高められ、負極性で保持された電圧実効値がさらに低められる。
【００４８】
ところで、本実施形態においては、電気光学装置１は、画素が正極性電圧を保持した場合と、負極性電圧を保持した場合とで、いずれの場合において画素が明るいか（または暗いか）を検知する。正極性電圧を保持した場合と負極性電圧を保持した場合とでどちらが画素が明るいかを検知すれば、正極性電圧を保持した場合と負極性電圧を保持した場合のどちらで電圧実効値が高められているかが分かる。電気光学装置１は、検知結果に応じて、対向電極１０８の電圧、正極性電圧の保持期間および負極性電圧の保持期間を制御し、フリッカーが現れるのを抑える。以下、この動作について説明する。
【００４９】
まず制御回路５２は、表示パネル１０の駆動を開始するとスタートパルスDybの出力タイミングを指定するためにレジスターに「０」を格納する。また、制御回路は、対向電極１０８の駆動開始時の電圧として、対向電極１０８の電圧を電圧LCcomにする。次に、電気光学装置１においては、外部上位装置から同期信号Vsyncと表示データVideoが処理回路５０に供給されると、データ信号Vidが表示パネル１０に供給される。なお、４８０行目の画素については、光センサー７１により画素の明るさを測定する検出用画素であるため、表示データ処理回路５４は、表示データVideoで指定された階調に関係なく、４８０行目の画素が常に最高の白と最低の黒との中間階調となるようにデータ信号Vidを供給する。また、制御回路５２は、供給された同期信号Vsyncに応じて表示パネル１０を駆動する。ここで、制御回路５２は、レジスターに格納されている値が「０」であるため、スタートパルスDybをタイミングＴで出力する。
【００５０】
表示パネル１０が駆動されると、光センサー７１により４８０行目の画素の明るさが測定され、信号Sbがデータ解析部７２へ供給される。データ解析部７２は、画素が正極性電圧を保持している時と負極性電圧を保持している時とでどちらの方が明るい状態かを信号Sbから検知し、信号Sa2を制御回路５２へ出力する。また、データ解析部７２は、信号Sbをデジタル信号Sdbに変換して高速フーリエ変換処理を行い、画素が正極性電圧を保持している時の明るさと、負極性電圧を保持している時の明るさの差を検知する。データ解析部７２は、この検知した明るさの差を示す信号Sa1を制御回路５２へ出力する。
【００５１】
この後、制御回路５２は、図１５に示したフローチャートに従って動作し、まず、データ解析部７２から供給される信号Sa1と信号Sa2を取得する（ステップＳＡ１）。制御回路５２は、取得した信号Sa1により、フリッカー量を得る。次に制御回路５２は、このフリッカー量が予め定められた閾値以上であるか判断する。なお、この閾値は、使用者が表示パネル１０を見た時にフリッカーとして認識されない値に設定されている。制御回路５２は、フリッカー量が閾値未満であると（ステップＳＡ２でＮＯ）、処理の流れをステップＳＡ１に戻す。なお、制御回路５２は、一定時間経過（例えば、数秒〜数分）してから処理の流れをステップＳＡ１に戻すようにしてもよい。
【００５２】
表示パネル１０は、図１４で示したように個体差があり、正極性電圧と負極性電圧とで印加時間比が同じであっても、時間が経過すると液晶容量１２０に直流成分が作用し、正極性電圧で保持された電圧実効値と、負極性電圧で保持された電圧実効値とで差が生じてくるものがある。このように、正極性電圧で保持された電圧実効値と、負極性電圧で保持された電圧実効値とで差が生じてくると、フリッカーが発生する。制御回路５２は、時間が経過してフリッカー量が閾値以上になると（ステップＳＡ２でＹＥＳ）、対向電極１０８の電圧を調整する（ステップＳＡ３）。
【００５３】
図１６は、対向電極１０８の電圧を調整する処理のフローチャートである。具体的には、まず制御回路５２は、この時点の対向電極１０８の電圧に対して予め定められた電圧（例えば、数ｍＶ）をプラスする（ステップＳＢ１）。なお、予め定める電圧は、数ｍＶに限定されるものではなく数十ｍＶであってもよい。次に、制御回路５２は、信号Sa1と信号Sa2を取得する（ステップＳＢ２）。対向電極１０８に印加される電圧が変更されると、正極性電圧で保持された電圧実効値と負極性電圧で保持された電圧実効値とに差が生じ、画素においてはフリッカーが生じる。ここで、制御回路５２は、取得した信号からフリッカー量を特定し、フリッカー量が増加していない場合には（ステップＳＢ３でＮＯ）、処理の流れをステップＳＢ１に戻す。
【００５４】
一方、制御回路５２は、ステップＳＢ３でＹＥＳと判断した場合、この時点の対向電極１０８の電圧から予め定められた電圧（ステップＳＢ１の電圧と同じ電圧）をマイナスする（ステップＳＢ４）。次に、制御回路５２は、信号Sa1と信号Sa2を取得する（ステップＳＢ５）。ここで、制御回路５２は、取得した信号からフリッカー量を特定し、フリッカー量が増加していない場合には（ステップＳＢ６でＮＯ）、処理の流れをステップＳＢ４に戻す。一方、制御回路５２は、ステップＳＢ６でＹＥＳと判断した場合、予め定められた電圧（ステップＳＢ１の電圧と同じ電圧）を対向電極１０８の電圧にプラスして対向電極１０８に印加する電圧を調整する処理を終了する。
【００５５】
次に制御回路５２は、ステップＳＡ３の処理によって対向電極１０８に印加されている電圧がステップＳＡ３の処理を行う前より正に増加したか否か判断する。ステップＳＡ３の処理によって対向電極１０８に印加される電圧が調整前より正に増加されていた場合（ステップＳＡ４でＹＥＳ）、制御回路５２は、レジスターの値に１を加算して（ステップＳＡ５）処理の流れをステップＳＡ１に戻す。駆動を開始した時にはレジスターの値が０であるため、ここでレジスターの値は１になり、スタートパルスDybの出力タイミングがタイミングＴより遅くなる。ここで、画素においては、正極性電圧で保持された電圧実効値が高められ、負極性電圧で保持された電圧実効値が低められる。
【００５６】
一方、ステップＳＡ３の処理により、対向電極１０８に印加される電圧が調整前より負に増加していた場合（ステップＳＡ４でＮＯ）、制御回路５２は、レジスターの値から１を減算して（ステップＳＡ６）処理の流れをステップＳＡ１に戻す。駆動を開始した時にはレジスターの値が０であるため、ここでレジスターの値は−１になり、スタートパルスDybの出力タイミングがタイミングＴより早くなる。ここで、画素においては、負極性電圧で保持された電圧実効値が高められ、正極性電圧で保持された電圧実効値が低められる。
以下、制御回路５２は、図１５の処理を繰り返し、フリッカー量が閾値以上となると、対向電極１０８の電圧とレジスターの値を変更する。
【００５７】
図１７は、図１５の処理を行った時の対向電極１０８の電圧の変化と、フリッカー量の推移の一例を示した図である。なお、図１７においては、レジスターの値を０に設定した場合に電圧LCcomを増やす必要が生じる表示パネルについて、対向電極１０８の電圧の変化とフリッカー量の推移を示している。
【００５８】
レジスターの値が０にされて表示パネル１０が駆動されると、液晶に印加される直流成分により、画素が正極性電圧を保持した時と負極性電圧を保持した時とで電圧実効値に差が生じ、画素が正極性電圧を保持した時と負極性電圧を保持した時とで明るさに差が生じる。この差は、時間の経過と共に大きくなり、制御回路５２は、ステップＳＡ２でＹＥＳと判断すると、ステップＳＡ３の処理を行う（時点ｔ１）。
【００５９】
具体的には、まず制御回路５２は、対向電極１０８に印加する電圧に予め定められた電圧をプラスする（ステップＳＢ１）。ここで、この時点の対向電極１０８に対して印加する電圧をプラスすると、表示パネルは、図１４の（１）の特性のパネルであるため、フリッカー量が小さくなる。ここで、フリッカー量が増加していないと（ステップＳＢ３でＮＯ）、処理の流れがステップＳＢ１に戻され、対向電極１０８に印加される電圧がプラスされていく。対向電極１０８に印加される電圧がプラスされ続けると、最適な電圧LCcomを超えることとなり、今度はフリッカー量が増加する（ステップＳＢ３でＹＥＳ、時点ｔ２）。
【００６０】
制御回路５２は、フリッカー量が増加すると対向電極１０８に印加されている電圧から予め定められた電圧をマイナスする（ステップＳＢ４、時点ｔ３）。この後、フリッカー量が増加すると（ステップＳＢ６でＹＥＳ）、制御回路５２は、対向電極１０８に印加する電圧に予め定められた電圧をプラスする（ステップＳＢ７、時点ｔ４）。
【００６１】
ここで図１７に示したように、対向電極１０８の電圧は、調整前より正に増加したため、ステップＳＡ４でＹＥＳと判断され、レジスターの値が＋１となる。画素が正極性電圧を保持した時と負極性電圧を保持した時とで電圧実効値に差がある状態でレジスターの値を変更すると、既に画素が正極性電圧を保持した時と負極性電圧を保持した時とで画素の明るさに差があるため、画素の明るさの差の変化が大きくなる。しかしながら、本実施形態においては、レジスターの値を変更する前に、フリッカー量が最小となるように対向電極１０８の電圧が変更され、画素が正極性電圧を保持した時と負極性電圧を保持した時とで電圧実効値に差が少ない状態にされてからレジスターの値を変更するため、レジスターの値を変更した時に画素の明るさの差の変化が小さく、画素の輝度変化が視認されにくくなる。
【００６２】
本実施形態によれば、液晶に直流成分が印加される表示パネルであっても、フリッカーの発生を抑えるように対向電極１０８の電圧と正極性電圧の保持期間および負極性電圧の保持期間が調整されるため、フリッカーの発生を抑えることができる。また、使用者が印加時間比の調整を行わなくてもフリッカーの発生を抑えることができるため、装置の出荷前に調整を行う工程が必要なく、出荷前の調整において消費する電力を抑えることができる。
【００６３】
［第２実施形態］
次に、本発明の第２実施形態に係る電気光学装置１について説明する。第２実施形態に係る電気光学装置１は、ハードウェア構成については第１実施形態と同じである。第２実施形態に係る電気光学装置１が第１実施形態に係る電気光学装置１と相違する点は、制御回路５２が行う処理が異なる点にある。したがって、以下においては、この相違点を中心に説明する。
【００６４】
図１８は、第２実施形態に係る制御回路５２が行う処理の流れを示したフローチャートである。なお、本実施形態に係る制御回路５２においては、表示パネル１０の駆動を開始してからステップＳＣ４に至るまでの処理は、第１実施形態において駆動を開始してからステップＳＡ４に至るまでと同じであるため、その説明を省略する。
制御回路５２は、ステップＳＣ３の処理により、対向電極１０８に印加する電圧が調整前より負に増加した場合（ステップＳＣ４でＮＯ）、上述した第１設定値をレジスターに設定する（ステップＳＣ６）。また、制御回路５２は、ステップＳＣ３の処理により、対向電極１０８に印加する電圧が調整前より正に増加した場合（ステップＳＣ４でＹＥＳ）、上述した第２設定値をレジスターに設定する（ステップＳＣ５）。
【００６５】
次にフリッカー量が閾値以上となると（ステップＳＣ７でＹＥＳ）、図１６に示した処理を実効して対向電極１０８の電圧を調整する（ステップＳＣ８）。制御回路５２は、ステップＳＣ８の処理を終了すると、ステップＳＣ４の後でレジスターに格納した値が第１設定値であったか否か判断する。制御回路５２は、ステップＳＣ４の後でレジスターに第１設定値を格納していた場合（ステップＳＣ９でＹＥＳ）、レジスターに設定する値を格納する調整値の値から１を減算し、ステップＳＣ４の後でレジスターに第２設定値を格納していた場合（ステップＳＣ９でＮＯ）、調整値の値に１を加算する。なお、調整値の値は、表示パネル１０の駆動を開始する時に０に設定されている。制御回路５２は、ステップＳＣ１０またはステップＳＣ１１の処理を終了すると、調整値の値をレジスターに設定し（ステップＳＣ１２）、処理の流れをステップＳＣ１に戻す。以下、制御回路５２は、図１８の処理を繰り返し、フリッカー量が閾値以上となると、対向電極１０８の電位とレジスターの値を変更する。
【００６６】
図１９は、図１８の処理を行った時の対向電極１０８の電圧の変化と、フリッカー量の推移の一例を示した図である。なお、図１９においては、図１４の（１）の特性の表示パネルについて、対向電極１０８の電圧の変化とフリッカー量の推移を示している。
【００６７】
レジスターの値が０にされて表示パネル１０が駆動されると、液晶に印加される直流成分により、フリッカー量が大きくなる。制御回路５２は、フリッカー量が大きくなり、ステップＳＣ２でＹＥＳと判断すると、ステップＳＣ３の処理を行う。ここで、対向電極１０８の電圧は、調整前より正に増加し、ステップＳＣ４でＹＥＳと判断され、レジスターの値は第２設定値にされる。第２設定値は、フリッカーを最小にするために電圧LCcomを減らす必要が生じる値であるため、レジスターに第２設定値が設定されるとフリッカー量が大きくなる。
【００６８】
この後、ステップＳＣ７でＹＥＳと判断されると、ステップＳＣ８の処理が行われる。まず、制御回路５２は、図１８の時点ｔ１１において対向電極１０８に印加される電圧に予め定められた電圧をプラスする（ステップＳＢ１）。ここで、この時点の対向電極１０８に対して印加する電圧をプラスすると、表示パネルは、図１４の（１）の特性のパネルであるため、フリッカー量が大きくなる。すると制御回路５２は、ステップＳＢ３でＹＥＳと判断し、対向電極１０８に印加されている電圧から予め定められた電圧をマイナスする（ステップＳＢ４、時点ｔ１２）。
この時点の対向電極１０８に対して印加する電圧をマイナスすると、フリッカー量が小さくなる。ここで、フリッカー量が増加していない場合には（ステップＳＢ６でＮＯ）、処理の流れがステップＳＢ４に戻され、対向電極１０８に印加される電圧がマイナスされていく。対向電極１０８に印加される電圧がプラスされ続けると、最適な電圧LCcomを超えることとなり、今度はフリッカー量が増加する（ステップＳＢ６でＹＥＳ、時点ｔ１３）。ここで制御回路５２は、対向電極１０８に印加されている電圧に予め定められた電圧をプラスする（ステップＳＢ７、時点ｔ１４）。これにより、対向電極１０８の電圧は、ステップＳＣ３で対向電極１０８の電圧を調整する前の電圧に戻る。
【００６９】
次に制御回路５２は、レジスターに第２設定値が設定されているため（ステップＳＣ９でＮＯ）、調整値に１を加算し、調整値をレジスターに設定する。本実施形態においては、レジスターの値を変更する前に、フリッカー量が最小となるように対向電極１０８の電圧が変更され、画素が正極性電圧を保持した時と負極性電圧を保持した時とで電圧実効値に差が少ない状態にされてからレジスターの値を変更するため、レジスターの値を変更した時に画素の明るさの差の変化が小さく、画素の輝度変化が視認されにくくなる。
【００７０】
本実施形態においても、液晶に直流成分が印加される表示パネルであっても、フリッカーの発生を抑えるように対向電極１０８の電位と正極性電圧の保持期間および負極性電圧の保持期間が調整されるため、フリッカーの発生を抑えることができる。また、使用者が印加時間比の調整を行わなくてもフリッカーの発生を抑えることができるため、装置の出荷前に調整を行う工程が必要なく、出荷前の調整において消費する電力を抑えることができる。
【００７１】
［第３実施形態］
次に、本発明の第３実施形態に係る電気光学装置１について説明する。第３実施形態に係る電気光学装置１は、ハードウェア構成については第１実施形態と同じである。第３実施形態に係る電気光学装置１が第１実施形態および第２実施形態に係る電気光学装置１と相違する点は、制御回路５２が行う処理が異なる点にある。したがって、以下においては、この相違点を中心に説明する。
【００７２】
図２０は、本実施形態に係る制御回路５２が、対向電極の電圧を調整する時に行う処理、即ち、第１実施形態においてはステップＳＡ３、第２実施形態においては、ステップＳＣ３，ＳＣ８で行う処理の流れを示したフローチャートである。本実施形態においては、対向電極の電圧を調整する処理が上述した実施形態と異なる。
【００７３】
具体的には、まず制御回路５２は、予め定められた電圧（例えば、数ｍＶ）を対向電極１０８の電圧に対してプラスする（ステップＳＤ１）。次に、制御回路５２は、予め定められた一定時間（例えば２秒）をカウントする（ステップＳＤ２）。なお、この一定時間は２秒に限定されるものではなく、２秒未満または２秒を超える時間であってもよい。制御回路５２は、一定時間をカウントし終えると、信号Sa1と信号Sa2を取得する（ステップＳＤ３）。対向電極１０８の電位が変更されると、フリッカーが生じる。ここで、制御回路５２は、取得した信号からフリッカー量を特定し、フリッカー量が増加していない場合には（ステップＳＤ４でＮＯ）、処理の流れをステップＳＤ１に戻す。
【００７４】
一方、制御回路５２は、ステップＳＤ４でＹＥＳと判断した場合、予め定められた電圧（ステップＳＤ１の電圧と同じ電圧）を対向電極１０８の電圧からマイナスする（ステップＳＤ５）。次に、制御回路５２は、ステップＳＤ２と同じ予め定められた一定時間をカウントする（ステップＳＤ６）。制御回路５２は、一定時間をカウントし終えると、信号Sa1と信号Sa2を取得する（ステップＳＤ７）。ここで、制御回路５２は、取得した信号からフリッカー量を特定し、フリッカー量が増加していない場合には（ステップＳＤ８でＮＯ）、処理の流れをステップＳＤ５に戻す。一方、制御回路５２は、ステップＳＢ８でＹＥＳと判断した場合、予め定められた電圧（ステップＳＤ１の電圧と同じ電圧）を対向電極１０８の電圧にプラスして対向電極１０８の電位を調整する処理を終了する。
【００７５】
本実施形態によれば、対向電極１０８の電位が調整される際には、ステップＳＤ２およびステップＳＤ６があるため、経時的に対向電極１０８の電位が変更される。これにより、図１５の処理と比較すると対向電極１０８の電位が時間を掛けて変化することとなり、対向電極１０８の電位を変化させることにより生じる画素の輝度変化が視認されにくくなる。なお、対向電極１０８の電圧を変更する際には、レジスターに値を設定してから液晶内部の電荷に偏りが生じ、この電荷の偏りによって内部電界が発生し、内部電界の影響により液晶層に直流成分が印加されるより早く、図２０の処理が完了するのが好ましい。
【００７６】
［第４実施形態］
次に、本発明の第４実施形態に係る電気光学装置１について説明する。第４実施形態に係る電気光学装置１は、ハードウェア構成については第１実施形態と同じである。第４実施形態に係る電気光学装置１が第１実施形態に係る電気光学装置１と相違する点は、制御回路５２が行う処理が異なる点にある。したがって、以下においては、この相違点を中心に説明する。
【００７７】
図２１は、第４実施形態に係る制御回路５２が行う処理の流れを示したフローチャートである。なお、第１実施形態においては、表示パネル１０の駆動を開始する際にレジスターの値を０にしてから駆動を開始したが、本実施形態に係る制御回路５２においては、第１設定値または第２設定値のいずれかがレジスターに設定されてから駆動が開始される。また、本実施形態においては、表示パネル１０の駆動を開始してからステップＳＥ４に至るまでの処理は、第１実施形態において駆動を開始してからステップＳＡ４に至るまでと同じであるため、その説明を省略する。
【００７８】
制御回路５２は、ステップＳＥ３の処理により、対向電極１０８の電圧を調整した後、レジスターに第１設定値と第２設定値のいずれの値が設定されているか判断する。制御回路５２は、第１設定値がレジスターに設定されている場合（ステップＳＥ４でＹＥＳ）、レジスターに第２設定値を設定し（ステップＳＥ５）、第２設定値がレジスターに設定されている場合（ステップＳＥ４でＮＯ）、レジスターに第１設定値を設定する（ステップＳＥ６）。次に制御回路５２は、信号Sa1と信号Sa2を取得する（ステップＳＥ７）。ここで、制御回路５２は、取得した信号からフリッカー量を特定し、閾値未満でない場合には（ステップＳＥ８でＮＯ）、処理の流れをステップＳＥ７に戻す。一方、制御回路５２は、ステップＳＥ８でＹＥＳと判断した場合、処理の流れをステップＳＥ１に戻す。以下、制御回路５２は、図２１の処理を繰り返し、フリッカー量が閾値以上となると、対向電極１０８の電位とレジスターの値を変更する。
【００７９】
図２２は、図２１の処理を行った時の対向電極１０８の電圧の変化と、フリッカー量の推移の一例を示した図である。レジスターの値が第１設定値にされて表示パネル１０が駆動されると、フリッカー量が大きくなる。フリッカー量が大きくなり、ステップＳＥ２でＹＥＳと判断されると、ステップＳＥ３の処理が行われる。ここで対向電極１０８の電圧は、調整前より正に増加し、ステップＳＥ４でＹＥＳと判断され、レジスターの値は第２設定値にされる（時点ｔ４１）。なお、ステップＳＥ３で対向電極１０８の電圧が調整されたことにより、フリッカー量は閾値未満となり、ステップＳＥ８ではＹＥＳと判断され、処理の流れがステップＳＥ１に戻る。
【００８０】
この後、レジスターに設定された第２設定値は、フリッカーを最小にするには、電圧LCcomを減らす必要が生じる値であるため、フリッカー量が大きくなる。すると、再度ステップＳＥ３の処理が行われる。ここで、対向電極１０８の電圧は、初期の電圧に戻る（時点ｔ４２）。次に、制御回路５２は、レジスターに第２設定値が設定されているため、ステップＳＥ４でＮＯと判断し、レジスターに第１設定値を設定する。なお、ステップＳＥ３で対向電極１０８の電圧が調整されたことにより、フリッカー量は閾値未満となり、ステップＳＥ８ではＹＥＳと判断され、処理の流れがステップＳＥ１に戻る。以下、図２２の処理を繰り返すことにより、対向電極の電圧が変更される。また、レジスターに対して第１設定値と第２設定値が交互に設定され、フリッカー量が一定の範囲に収まるように制御される。
【００８１】
本実施形態によれば、液晶に直流成分が印加される表示パネルであっても、フリッカーの発生を抑えるように対向電極１０８の電位と正極性電圧の保持期間および負極性電圧の保持期間が調整されるため、フリッカーの発生を抑えることができる。また、使用者が印加時間比の調整を行わなくてもフリッカーの発生を抑えることができるため、装置の出荷前に調整を行う工程が必要なく、出荷前の調整において消費する電力を抑えることができる。
【００８２】
［第５実施形態］
次に、本発明の第５実施形態に係る電気光学装置１について説明する。第５実施形態に係る電気光学装置１は、ハードウェア構成については第１実施形態と同じである。第５実施形態に係る電気光学装置１は、第４実施形態に対して制御回路５２が行う処理が追加されている点にある。したがって、以下においては、この相違点を中心に説明する。
【００８３】
図２３は、第５実施形態に係る制御回路５２が行う処理の流れを示したフローチャートである。なお、実施形態においては、制御回路５２は、表示パネル１０の駆動を開始した時の対向電極１０８の電圧を初期電圧として記憶している。また、本実施形態に係る制御回路５２においても、第１設定値がレジスターに設定されてから駆動が開始される。表示パネル１０の駆動を開始してからステップＳＦ３までの処理は、第４実施形態において駆動を開始してからステップＳＥ３に至るまでの処理と同じであるため、その説明を省略する。
【００８４】
本実施形態においては、ステップＳＦ３で対向電極１０８の電圧を調整した後、対向電極１０８の電圧が上述した初期電圧であるか判断する。ここで、制御回路５２は、対向電極１０８の電圧が初期電圧である場合（ステップＳＦ４でＹＥＳ）、処理の流れをステップＳＦ１に戻す。一方、制御回路５２は、対向電極１０８の電圧が初期電圧ではない場合（ステップＳＦ４でＮＯ）、処理の流れをステップＳＦ５に移す。なお、ステップＳＦ５からステップＳＦ９の処理は、第４実施形態のステップＳＥ４からステップＳＥ８の処理と同じであるため、その説明を省略する。
【００８５】
図２４は、図２３の処理を行った時の対向電極１０８の電圧の変化と、フリッカー量の推移の一例を示した図である。レジスターの値が第１設定値にされて表示パネル１０が駆動されると、フリッカー量が大きくなる。フリッカー量が大きくなり、ステップＳＦ２でＹＥＳと判断されると、ステップＳＦ３の処理が行われる。ここで対向電極１０８の電圧は、調整前より正に増加し、ステップＳＦ４でＮＯと判断され、レジスターの値はステップＳＦ６において第２設定値にされる（時点ｔ５１）。なお、ステップＳＦ３で対向電極１０８の電圧が調整されたことにより、フリッカー量は閾値未満となり、ステップＳＦ９ではＹＥＳと判断され、処理の流れがステップＳＦ１に戻る。
【００８６】
この後、レジスターに設定された第２設定値は、フリッカーを最小にするには、電圧LCcomを減らす必要が生じる値であるため、フリッカー量が大きくなる。すると、再度ステップＳＥ３の処理が行われる。ここで、対向電極１０８の電圧は、初期の電圧に戻る（時点ｔ５２）。制御回路５２は、対向電極１０８の電圧が初期の電圧に戻ったため、ステップＳＦ４でＹＥＳと判断し、処理の流れをステップＳＦ１に戻す。
【００８７】
なお、ここでレジスターの値が第２設定値であるため、フリッカー量が大きくなる。ここで、ステップＳＦ２においてＹＥＳと判断されると、ステップＳＦ３で対向電極１０８の電圧が調整される。なお、ここでは対向電極１０８の電圧がマイナスされる（時点ｔ５３）。次に制御回路５２は、ステップＳＦ４でＮＯと判断し、レジスターに第１設定値を設定する。
【００８８】
レジスターに設定された第１設定値は、フリッカーを最小にするには、電圧LCcomを増やす必要が生じる値であるため、フリッカー量が大きくなる。すると、再度ステップＳＥ３の処理が行われる。ここで、対向電極１０８の電圧は、初期の電圧に戻る（時点ｔ５４）。制御回路５２は、対向電極１０８の電圧が初期の電圧に戻ったため、ステップＳＦ４でＹＥＳと判断し、処理の流れをステップＳＦ１に戻す。ここで、対向電極１０８の電圧は初期状態に戻り、レジスターには第１設定値が設定されている。即ち、駆動初期の状態に戻り、以下、上述した動作が繰り返される。
【００８９】
本実施形態においても、液晶に直流成分が印加される表示パネルであっても、フリッカーの発生を抑えるように対向電極１０８の電位と正極性電圧の保持期間および負極性電圧の保持期間が調整されるため、フリッカーの発生を抑えることができる。また、使用者が印加時間比の調整を行わなくてもフリッカーの発生を抑えることができるため、装置の出荷前に調整を行う工程が必要なく、出荷前の調整において消費する電力を抑えることができる。
【００９０】
［電子機器］
次に、上述した実施形態に係る電気光学装置を用いた電子機器の例について説明する。図２５は、上述した電気光学装置１の表示パネル１０をライトバルブとして用いた３板式プロジェクターの構成を示す平面図である。このプロジェクター２１００において、ライトバルブに入射させるための光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００９１】
ここで、ライトバルブ１００Ｒ、１００Ｇおよび１００Ｂの構成は、上述した実施形態における表示パネル１０と同様であり、外部上位装置（図示省略）から供給されるＲ、Ｇ、Ｂの各色に対応する画像データでそれぞれ駆動されるものである。ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、レンズユニット２１１４によって正転拡大投影されるので、スクリーン２１２０には、カラー画像が表示されることとなる。
【００９２】
なお、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂにより形成される画像と、ライトバルブ１００Ｇにより形成される画像とは左右反転の関係にある。
【００９３】
また、電子機器としては、図２５を参照して説明した他にも、リアプロジェクション型のテレビジョンや、直視型、例えば携帯電話や、パーソナルコンピュータ、ビデオカメラのモニタ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【００９４】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００９５】
上述した各実施形態では、電圧無印加状態において白色を表示するノーマリーホワイトモードとしたが、電圧無印加状態において黒色を表示するノーマリーブラックモードとしても良い。
【００９６】
上述した実施形態においては、４８０行目の画素の明るさを光センサー７１で検知しているが、明るさを検知する画素を４８０行目に限定されるものではなく他の行の画素でもよい。
【００９７】
上述した第４実施形態や第５実施形態においても、対向電極の電圧を調整する処理を図１６に示した処理ではなく、図２０に示した処理とし、対向電極１０８の電圧を時間を掛けて変化させるようにしてもよい。
【００９８】
上述した実施形態においては、検出回路７０は、光センサー７１を用いて画素の明るさを検知することにより、フリッカー量（正極性電圧保持時の実効電圧と負極性電圧保持時の実効電圧の差）を検出しているが、フリッカー量を検出する方法は、上述した実施形態の方法に限定されるものではない。例えば、画素に流れる電流を検知するセンサーを設け、正極性電圧印加時に画素に流れる電流と、負極性電圧印加時に画素に流れる電流の差を検出し、この差からフリッカー量（正極性電圧保持時の実効電圧と負極性電圧保持時の実効電圧の差）を検出するようにしてもよい。
【符号の説明】
【００９９】
１…電気光学装置、１０…表示パネル、５０…処理回路、５２…制御回路、５４…表示データ処理回路、５６…Ｄ／Ａ変換回路、５８…データ解析部、７０…検出回路、７１…光センサー、７２…データ解析部、１０５…液晶、１０８…対向電極、１１０…画素、１１２…走査線、１１４…データ線、１１６…ＴＦＴ、１１８…画素電極、１２０…液晶容量、１３０…走査線駆動回路、１４０…データ線駆動回路、１４２…サンプリング信号出力回路、１４６…ＴＦＴ、５８１…ＡＤ変換部、５８２…演算部、２１００…プロジェクター
【図１】
2012159759.tif 000003
【図２】
2012159759.tif 000004
【図３】
2012159759.tif 000005
【図４】
2012159759.tif 000006
【図５】
2012159759.tif 000007
【図６】
2012159759.tif 000008
【図７】
2012159759.tif 000009
【図８】
2012159759.tif 000010
【図９】
2012159759.tif 000011
【図１０】
2012159759.tif 000012
【図１１】
2012159759.tif 000013
【図１２】
2012159759.tif 000014
【図１３】
2012159759.tif 000015
【図１４】
2012159759.tif 000016
【図１５】
2012159759.tif 000017
【図１６】
2012159759.tif 000018
【図１７】
2012159759.tif 000019
【図１８】
2012159759.tif 000020
【図１９】
2012159759.tif 000021
【図２０】
2012159759.tif 000022
【図２１】
2012159759.tif 000023
【図２２】
2012159759.tif 000024
【図２３】
2012159759.tif 000025
【図２４】
2012159759.tif 000026
【図２５】
2012159759.tif 000027